(57)【要約】【課題】  複写処理の処理時間を短縮しつつ、複写モードに応じた適切なタイミングでの給紙を行なえるようにする。【解決手段】  原稿を読み取り、画像データを作成する読み取り処理を実行するスキャナ部と、読み取った画像データを一時的に格納するメモリ部と、印刷用紙の給紙処理、および、前記画像データに基づいて印刷データを作成し、前記給紙した印刷用紙への印刷を行って前記原稿についての複写処理を実行するプリンタ部と、複写モードの設定を受け付ける制御手段とを備えた複合機システムであって、前記制御手段は、設定を受け付けた複写モードが、読み取り対象の原稿の画像を、検出した原稿のサイズに基づいて印刷用紙に複数配置するレイアウト処理を行なう複写モードである場合には、読み取り処理終了後に、給紙処理を行なうように制御し、それ以外の複写モードである場合には、読み取り処理終了前に給紙処理を行なうように制御することを特徴とする複合機システム。【選択図】  図８
2007036819.tif 000002
【特許請求の範囲】
【請求項１】
原稿を読み取り、画像データを作成する読み取り処理を実行するスキャナ部と、
読み取った画像データを一時的に格納するメモリ部と、
印刷用紙の給紙処理、および、前記画像データに基づいて印刷データを作成し、前記給紙した印刷用紙への印刷を行って前記原稿についての複写処理を実行するプリンタ部と、
複写モードの設定を受け付ける制御手段とを備えた複合機システムであって、
前記制御手段は、設定を受け付けた複写モードが、読み取り対象の原稿の画像を、検出した原稿のサイズに基づいて印刷用紙に複数配置するレイアウト処理を行なう複写モードである場合には、読み取り処理終了後に、給紙処理を行なうように制御し、それ以外の複写モードである場合には、読み取り処理終了前に給紙処理を行なうように制御することを特徴とする複合機システム。
【請求項２】
請求項１に記載の複合機システムであって、
前記スキャナ部は、前記レイアウト処理を行なう複写モードの際に、前記読み取り処理の前に、画像の配置を決定するための仮読み取り処理を行なうものであり、
前記制御部は、前記レイアウト処理を行なう複写モードの設定を受け付けている場合であっても、仮読み取り処理の結果、原稿の画像を印刷用紙に複数配置不能と判断した場合には、読み取り処理終了前に給紙処理を行なうように制御することを特徴とする複合機システム。
【請求項３】
請求項１に記載の複合機システムであって、
前記制御手段は、設定を受け付けた複写モードが、前記レイアウト処理を行なう複写モードである場合には、読み取り処理終了後であって、印刷可能な量の印刷データが作成された段階で給紙処理を行なうように制御することを特徴とする複合機システム。
【請求項４】
請求項３に記載の複合機システムであって、
前記印刷可能な量の印刷データが作成された段階でおこなう給紙処理は、印刷開始位置まで印刷用紙を搬送することを特徴とする複合機システム。
【請求項５】
請求項１に記載の複合機システムであって、
前記制御手段は、設定を受け付けた複写モードが、前記レイアウト処理を行なう複写モードでない場合には、読み取り処理と給紙処理とを並行に行なうように制御することを特徴とする複合機システム。
【請求項６】
原稿を読み取り、画像データを作成する読み取り処理を実行するスキャナ部と、読み取った画像データを一時的に格納するメモリ部と、印刷用紙の給紙処理、および、前記画像データに基づいて印刷データを作成し、前記給紙した印刷用紙への印刷を行って前記原稿についての複写処理を実行するプリンタ部とを備えた複合機システムにおける給紙制御方法であって、
複写モードの設定を受け付けるステップと、
設定を受け付けた複写モードが、読み取り対象の原稿の画像を、検出した原稿のサイズに基づいて印刷用紙に複数配置するレイアウト処理を行なう複写モードであるかどうかを判断するステップと、
前記レイアウト処理を行なう複写モードと判断した場合には、読み取り処理終了後に、給紙処理を行ない、それ以外の複写モードと判断した場合には、読み取り処理終了前に給紙処理を行なうステップとを有することを特徴とする給紙制御方法。
【発明の詳細な説明】
【技術分野】
【０００１】
この発明は、複合機システムに関するものである。
【背景技術】
【０００２】
近年、家庭用途のプリンタとして、スキャナ機能（Scanner）、プリンタ機能（Printer）、コピー機能（Copy）など複数機能を有するスキャナ一体型のプリンタ（ＳＰＣ複合装置）が普及している。
【０００３】
このようなＳＰＣ複合装置（複合機）は、原稿から画像を読み取る処理を行うスキャナ部と、被印刷媒体に印刷画像を印刷する処理を行うプリンタ部と、スキャナ部で読み取られた画像データが一時的に記憶されるメモリとを備えている。
【０００４】
スキャナ部は、原稿台上の原稿に光を照射する照射光源である露光ランプと、原稿から反射された反射光を検出するフォトダイオードを一列に配列したセンサ（リニアイメージセンサ）とを備えている。スキャナ部はセンサをセンサの配列方向（主走査方向）に対して垂直な方向（副走査方向）に移動させ、その位置に対応する色情報を画像データとしてメモリに記憶する。そして、メモリに記憶されている画像データを印刷データに変換し、プリンタ部が印刷データに基づいて、給紙された用紙に対する印刷処理を実行することにより、ホストコンピュータを介することなく複写処理を行うスタンドアローンコピー機能が実現される。
【０００５】
このように、複写処理では画像を読み取る処理と、印刷データ変換処理と、給紙処理と、印刷処理とが行なわれる。これらの各処理のタイミング制御に関して、特許文献１には、給紙処理が完了した後に画像の読み取り処理を開始することが開示されている。これにより、ジャムや用紙切れなどの給紙時の搬送系エラーが発生した場合であっても、搬送系エラーが解除された後に読み取り処理が開始されることになるため、読み取り処理の中断中に照射光源の光量が変化した場合にも、色むらのない連続性のある複写結果が得られるようになっている。
【０００６】
しかしながら、給紙と画像の読み取りとは独立した処理であり、本来、並行して行なうことができる処理である。このため、給紙処理が完了した後に画像の読み取り処理を開始することで、複写の処理時間は余計にかかることになる。
【０００７】
したがって、複写処理の処理時間を短縮するという観点からは、給紙と画像読み取りとは同時に開始し、並行して行なうことが望ましい。これにより、読み取った画像データの先頭部分が印刷データに変換されるとすぐに印刷を開始することができるようになる。以降は、画像を読み取りながら順次印刷データに変換し、印刷が続けられる。
【０００８】
【特許文献１】特開２００４−１２８８９６号公報
【発明の開示】
【発明が解決しようとする課題】
【０００９】
ところで、ある種の複写処理では、読み取り処理と印刷処理とを並行に行なえない場合がある。例えば、リピートモードと呼ばれる複写モードは、いったん原稿全体の画像データをメモリに格納し、レイアウト処理等の画像処理を施したうえで印刷を行なう必要がある。
【００１０】
このような複写処理では、レイアウト処理を行なうため通常の複写処理に比べて、読み取り開始から印刷開始までの時間を多く要することになる。このため、画像データ読み取り前あるいは読み取りと同時に給紙を開始した場合には、印刷用紙は印刷開始前までの給紙状態がしばらく続くことになる。
【００１１】
一般に給紙状態では印刷用紙は複合機内部で湾曲した状態となるが、この状態が長引くと印刷用紙に折り癖がついてしまうおそれがあるため、給紙状態は短い方が望ましい。
【００１２】
本発明は、複写処理の処理時間を短縮しつつ、複写モードに応じた適切なタイミングでの給紙を行なえるようにすることを目的とする。
【課題を解決するための手段】
【００１３】
上記目的を達成するため、本発明の第１の態様である複合機システムは、
原稿を読み取り、画像データを作成する読み取り処理を実行するスキャナ部と、
読み取った画像データを一時的に格納するメモリ部と、
印刷用紙の給紙処理、および、前記画像データに基づいて印刷データを作成し、前記給紙した印刷用紙への印刷を行って前記原稿についての複写処理を実行するプリンタ部と、
複写モードの設定を受け付ける制御手段とを備えた複合機システムであって、
前記制御手段は、設定を受け付けた複写モードが、読み取り対象の原稿の画像を、検出した原稿のサイズに基づいて印刷用紙に複数配置するレイアウト処理を行なう複写モードである場合には、読み取り処理終了後に、給紙処理を行なうように制御し、それ以外の複写モードである場合には、読み取り処理終了前に給紙処理を行なうように制御することを特徴とする。
【００１４】
本発明によれば、読み取り開始から印刷開始までの時間を多く要するレイアウト処理を行なう複写モードの場合には、読み取り終了後に給紙処理を行なうようにしているため、印刷用紙が、給紙状態のまま長時間保たれることを防ぐことができる。一方、それ以外の複写モードでは、読み取り処理終了前に給紙処理を行なうようにしている。
【００１５】
これにより、複写処理の処理時間を短縮しつつ、複写モードに応じた適切なタイミングでの給紙を行なうことが実現される。
【００１６】
このとき、前記スキャナ部は、前記レイアウト処理を行なう複写モードの際に、前記読み取り処理の前に、画像の配置を決定するための仮読み取り処理を行なうものであり、
前記制御部は、前記レイアウト処理を行なう複写モードの設定を受け付けている場合であっても、仮読み取り処理の結果、原稿の画像を印刷用紙に複数配置不能と判断した場合には、読み取り処理終了前に給紙処理を行なうように制御することができる。
【００１７】
これにより、レイアウト処理を行なう複写モードであっても、配置処理を行なわない場合には、複写処理時間を短縮することができる。
【００１８】
また、上記課題を解決するため、本発明の第２の態様である給紙制御方法は、
原稿を読み取り、画像データを作成する読み取り処理を実行するスキャナ部と、読み取った画像データを一時的に格納するメモリ部と、印刷用紙の給紙処理、および、前記画像データに基づいて印刷データを作成し、前記給紙した印刷用紙への印刷を行って前記原稿についての複写処理を実行するプリンタ部とを備えた複合機システムにおける給紙制御方法であって、
複写モードの設定を受け付けるステップと、
設定を受け付けた複写モードが、読み取り対象の原稿の画像を、検出した原稿のサイズに基づいて印刷用紙に複数配置するレイアウト処理を行なう複写モードであるかどうかを判断するステップと、
前記レイアウト処理を行なう複写モードと判断した場合には、読み取り処理終了後に、給紙処理を行ない、それ以外の複写モードと判断した場合には、読み取り処理終了前に給紙処理を行なうステップとを有することを特徴とする。
【発明を実施するための最良の形態】
【００１９】
本発明の実施の形態について図面を参照して説明する。本実施形態は、本発明を複合機に適用したものである。
【００２０】
図１は、本実施形態の複合機を示す斜視図であり、図２は、原稿台カバーを開いた状態の複合機を示す斜視図である。
【００２１】
本実施形態の複合機は、パーソナルコンピュータ（以下、ＰＣとする）からのスキャン指示に従ってスキャン処理を実行するスキャン機能（Scanner）、ＰＣから印刷指示に従って印刷処理を実行するプリンタ機能（Printer）、複合機単体で複写処理を行なうコピー機能（Copy）など複数機能を有する複合装置（以下、ＳＰＣ複合装置ともいう）である。
【００２２】
図１および図２に示すように、ＳＰＣ複合装置１は、原稿の画像を読み取って画像データを生成するスキャナ部２と、画像データに基づいて画像を用紙等の被印刷媒体に印刷するプリンタ部３と、ユーザが操作するための操作パネル部４とを備える。ＳＰＣ複合装置１において、スキャナ部２で読み取った画像データがプリンタ部３に送信され内部の処理回路で印刷データに変換され、その印刷データに基づく画像が用紙に印刷されることでスタンドアローンコピー機能が実現される。
【００２３】
スキャナ部２はプリンタ部３の上に配置されており、そのスキャナ部２の上部には、スキャナ部２に読み取られる原稿を載置するための例えばＡ４判の原稿台ガラス５と、原稿を読み取る際や不使用時に原稿台ガラス５を覆う原稿台カバー６とが設けられている。原稿台カバー６は、開閉可能に形成され、閉止した際には原稿台ガラス５上に載置された原稿を原稿台ガラス５側に押圧する機能も有している。
【００２４】
また、ＳＰＣ複合装置１の背面側にはプリンタ部３へ用紙を供給するための用紙供給部７が設けられ、その用紙供給部７には、Ａ４判等のカット紙を保持する給紙トレー８が備えられている。また、ＳＰＣ複合装置１の前面側の下部にはプリンタ部３で印刷された用紙を排紙する排紙部９が設けられ、その排紙部９には、不使用時に排紙口を塞ぐことが可能な排紙トレー１０が備えられている。さらに、排紙部９の上部に操作パネル部４が設けられている。
【００２５】
操作パネル部４は、ユーザがＳＰＣ複合装置１を直接操作するためのものであり、そのほぼ中央に液晶ディスプレイ１１が設けられている。液晶ディスプレイ１１は、設定項目や設定状態、動作状態等を文字にて表示することが可能であるとともに、スキャナ部２で読み取った画像を表示することも可能である。この液晶ディスプレイ１１の図１または図２に図示する状態において左側には、電源ボタン１２と、スキャンボタン１３と、設定表示ボタン１４と、クリアボタン１５とが設けられている。
【００２６】
電源ボタン１２は、ＳＰＣ複合装置１の電源を投入、遮断するためのボタンである。スキャンボタン１３は、スキャナ部２による原稿の読み取りを開始させるためのボタンである。設定表示ボタン１４は、ユーザにより設定されたコピー機能に対する設定状態を液晶ディスプレイ１１に表示させるためのボタンである。クリアボタン１５は、コピー機能に対する設定をクリアし、各設定項目をデフォルト値に変更するためのボタンである。
【００２７】
液晶ディスプレイ１１の図１または図２に図示する状態において右側には、カラーコピーボタン１６と、モノクロコピーボタン１７と、ストップボタン１８と、コピー枚数設定ボタン１９（１９ａ，１９ｂ）とが設けられている。カラーコピーボタン１６は、カラーコピーを開始させるためのボタンであり、モノクロコピーボタン１７はモノクロコピーを開始させるためのボタンである。したがって、これらのコピーボタン１６，１７は、コピー動作の開始指示と、出力すべき画像がカラーまたはモノクロのいずれであるかを選択する選択手段とを兼ねている。
【００２８】
また、カラーコピーボタン１６は例えば用紙不足やジャムなどの給紙系エラーによって印刷処理（複写処理）が中断されたとき、搬送系エラーが解除されたことをユーザがＳＰＣ複合装置１に通知するための通知手段としても機能する。ストップボタン１８は、一旦開始したコピー動作を中止させるためのボタンである。コピー枚数設定ボタン１９は、表面に「＋」または「−」が表記された２つのボタン１９ａ，１９ｂで構成され、「＋」ボタン１９ａを押すことにより設定枚数が増加され、「−」ボタン１９ｂを押すことにより設定枚数が減少される。
【００２９】
液晶ディスプレイ１１の手前側には、液晶ディスプレイ１１に表示される設定項目を切り替えるメニューボタン２０が設けられている。メニューボタン２０は、左右に配置された２つのボタンで構成され、それぞれ左向きの矢印または右向きの矢印が表記されている。左右いずれかのメニューボタン２０が押される毎に、表示される設定項目が決められた順に順次切り替わり、一通り表示し終わると最初の設定項目が表示される。左右の矢印は、設定項目を表示する順番を変更するためであり、両ボタン２０は、互いに他のボタンを押した際の表示順と逆の順番で設定項目を表示する。
【００３０】
なお、液晶ディスプレイ１１には、印刷用紙Ｐの種類（例えば、写真用の光沢紙や普通紙等）毎に複写処理の品質（コピー品質モード）を設定するためのメニュー画面も表示される。ユーザは液晶ディスプレイ１１を参照しメニューボタン２０を操作することによって希望する品質の複写画像を得るためのコピー品質モードを選択することができる。
【００３１】
次に、図３（ａ）、（ｂ）に示すスキャナ部２の模式図を用いてスキャナ部２について詳しく説明する。なお、図３（ａ）は平面図であり、（ｂ）は側面図である。
【００３２】
図３に示すように、スキャナ部２は、略長方形状の面を有する板状に形成され原稿Ｍの載置される原稿台ガラス５と、原稿台ガラス５の板厚方向において原稿台ガラス５を挟んで原稿Ｍと対向する態様で配設される読み取りキャリッジ２１とを備えている。
【００３３】
原稿台ガラス５の長手方向一端側の内周縁部には、矩形板状に形成された白基準板２２が原稿台ガラス５の幅方向に延びる態様で配設されている。
【００３４】
読み取りキャリッジ２１は、原稿台ガラス５の長手方向に往復移動自在に収容され、原稿台ガラス５に対して平行に配置された図示しないガイド用のシャフトなどにより原稿台ガラス５に対して平行に移動するよう案内される。読み取りキャリッジ２１は光学系２３とリニアイメージセンサ２４とを備えている。光学系２３およびリニアイメージセンサ２４は、読み取りキャリッジ２１の長手方向に沿って配設されており、読み取りキャリッジ２１によって原稿台ガラス５の長手方向に搬送される。
【００３５】
なお、以後の説明では、スキャナ部２において読み取りキャリッジ２１の長手方向を主走査方向（図３（ａ）参照）とし、原稿台ガラス５の長手方向（主走査方向に対して垂直な方向）を副走査方向（図３（ｂ）参照）とする。
【００３６】
光学系２３は、光源２３ａ、ミラー２３ｂ、結像レンズ２３ｃなどで構成されている。光源２３ａは例えば白色冷陰極蛍光ランプであり、長手方向軸がリニアイメージセンサ２４の長手方向軸に沿って平行に延びる姿勢で読み取りキャリッジ２１に搭載されている。なお、光源２３ａから照射された照射光は原稿Ｍに反射し、ミラー２３ｂおよび結像レンズ２３ｃを介してリニアイメージセンサ２４に結像される。リニアイメージセンサ２４は原稿台ガラス５に載置された原稿画像を光学的に読み取って電荷に変換し蓄える。
【００３７】
なお、複写処理が開始されるごとに光源２３ａから白基準板２２に照射光が照射され、白基準板２２に反射された反射光をリニアイメージセンサ２４が検出することにより光源２３ａの光量が測定される。
【００３８】
次に、図４を用いてプリンタ部３について詳しく説明する。なお、図４はプリンタ部３の概略構成を示す側面図である。
【００３９】
図４に示すようにプリンタ部３は、被印刷媒体としての印刷用紙Ｐにインクを吐出する書き込みキャリッジ３１と、印刷用紙Ｐを書き込みキャリッジ３１に供給する給紙ローラ３２と、印刷用紙Ｐを書き込みキャリッジ３１から排出する排紙ローラ３３とを備えている。なお、本実施形態においてプリンタ部３は、印刷用紙等の媒体上にインク滴を吐出することによって画像を形成するインクジェット方式を採用している。
【００４０】
書き込みキャリッジ３１は、給紙ローラ３２および紙送りローラ３５による印刷用紙Ｐの搬送方向（図４に図示する状態で左方向）に対して略垂直な方向に延びる態様で架設されたガイド部材３１ａに沿って往復移動可能に配設されている。なお、プリンタ部３において書き込みキャリッジ３１が往復動作する方向（紙面に対して垂直な方向）を主走査方向とし、印刷用紙Ｐが供給される方向（主走査方向に対して垂直な方向）を副走査方向とする。
【００４１】
また、書き込みキャリッジ３１は、インク滴が吐出されるノズル（図示略）を有し、書き込みキャリッジ３１の下方に配設される記録ヘッド３４と、インクカートリッジＫとを備えている。
【００４２】
インクカートリッジＫにはシアン（Ｃ）、マゼンタ（Ｍ）、イエロ（Ｙ）、ブラック（Ｋ）の４色の色インクが充填されている。記録ヘッド３４のノズルから色インクが印刷用紙に吐出されることでプリンタ部３はカラー画像を出力する。なお、色インクとして、上記４色に加えて、ライトシアン（薄いシアン、ＬＣ）、ライトマゼンタ（薄いマゼンタ、ＬＭ）、ダークイエロ（暗いイエロ、ＤＹ）を用いてもよい。
【００４３】
給紙ローラ３２は、回転動作により給紙トレー８にセットされた印刷用紙Ｐを１枚ずつ書き込みキャリッジ３１側へ搬送する。給紙ローラ３２の給紙方向下流側（図４に図示する状態で左側）には、紙送りローラ３５と、紙送りローラ３５と給紙ローラ３２との間に配設され印刷用紙Ｐを案内する一対のガイド３６ａ，３６ｂが配置されている。
【００４４】
紙送りローラ３５は、紙送りローラ３５の回転に追従する従動ローラ３５ａと対をなしており、給紙ローラ３２によって供給された印刷用紙Ｐを挟持する。印刷用紙Ｐは紙送りローラ３５および従動ローラ３５ａの回転動作により書き込みキャリッジ３１の下方へ搬送される。
【００４５】
ガイド３６ａ，３６ｂの用紙入口付近には、その下端が用紙通路に達する長さで延出するレバー３７と、そのレバー３７の上端部を検知対象とする紙検出センサ３８とを備えている。紙検出センサ３８は、給紙される印刷用紙Ｐがレバー３７の下端を押してこれを回動させるとオンし、レバー３７の下端を押す印刷用紙Ｐの後端が通過するとレバー３７がバネの付勢力で原位置（復帰位置）に復帰してオフする。つまり、紙検出センサ３８により印刷用紙切れなどの搬送系エラーが検出される。
【００４６】
排紙ローラ３３は書き込みキャリッジ３１の下流側に設けられている。排紙ローラ３３は、紙送りローラ３５と協働し、回動動作によって印刷用紙Ｐを搬送する。給紙時には、紙送りローラ３５と排紙ローラ３３とによって前の印刷用紙Ｐの排紙がなされるとともに、給紙ローラ３２と紙送りローラ３５とによって次の印刷用紙Ｐの給紙がなされる。
【００４７】
給紙ローラ３２、排紙ローラ３３および紙送りローラ３５によって副走査方向に搬送される印刷用紙Ｐに対して書き込みキャリッジ３１が主走査方向に往復動作をすることにより、記録ヘッド３４は印刷用紙Ｐに対する位置を設定される。所定の位置に配設された記録ヘッド３４から所定のタイミングでインク滴が吐出されることにより印刷用紙Ｐにドットが形成され印刷が行われる。印刷された印刷用紙は、紙送りローラ３５および排紙ローラ３３の回転により書き込みキャリッジ３１の下流側（図４中の左側）に搬送され、排紙部９（図１または図２参照）から排紙される。
【００４８】
図５は、ＳＰＣ複合装置１の電気的構成を示すブロック図である。なお、図５には、コピー機能を実現するための回路構成を記載しており、パーソナルコンピュータ（ＰＣ）等に接続してプリンタやスキャナとして機能する場合に必要となるインターフェース回路や処理回路等は省略している。
【００４９】
ＳＰＣ複合装置１は、プリンタ部３のケース内に全体的な制御を司るメイン基板（図示略）を備える。このメイン基板には、ＣＰＵ組み込みＡＳＩＣ（Application Specific ＩＣ）４１、プログラムＲＯＭ４２、第１のＳＤＲＡＭ４３、および第２のＳＤＲＡＭ４４等が実装されている。
【００５０】
ＡＳＩＣ４１にはプログラムＲＯＭ４２と第１のＳＤＲＡＭ４３と操作パネル部４とが外付けされており、それらはＡＳＩＣ４１上の内部バス４１ａに接続されている。また、ＡＳＩＣ４１は、内部バス４１ａに接続されたＣＰＵ４５、スキャナ駆動回路４６、スキャナ入力回路４７、画像処理回路４８、ヘッド制御ユニット４９、および、エラー検出回路５０が内蔵されている。
【００５１】
プログラムＲＯＭ４２には、ＣＰＵ４５により実行される制御プログラムなどが記憶されている。第１のＳＤＲＡＭ４３は、スキャナ部２によって読み取られた画像データやプリンタ部３で印刷される印刷データなどが一時的に記憶される。第２のＳＤＲＡＭ４４は、スキャナ入力回路４７と画像処理回路４８に接続されており、各回路４７、４８における処理の前後の画像データや印刷データが一時的に格納されるメモリ部として機能する。この第２のＳＤＲＡＭ４４のメモリ領域には、ラインバッファ４４ａ、マイクロウィーブ（Micro Weave）バッファ４４ｂ、イメージバッファ４４ｃがそれぞれ割り当てられている。
【００５２】
ＣＰＵ４５は演算装置であり、プログラムＲＯＭ４２に記憶されている制御プログラムを実行する。ＣＰＵ４５がプログラムＲＯＭ４２に記憶されている制御プログラムに基づいてスキャナ部２やプリンタ部３を制御することにより、読み取り処理や印刷処理などの各処理が実行される。
【００５３】
スキャナ駆動回路４６はスキャナ部２の各機構を駆動させるためのものでありスキャナ部２の読み取りキャリッジ２１を駆動するモータなどのスキャナ駆動部４６ａに接続されている。スキャナ駆動部４６ａは、読み取りキャリッジ２１や光源２３ａを操作して主走査方向に沿った方向の原稿画像を読み取るとともに、読み取りキャリッジ２１を副走査方向に移送する。スキャナ駆動部４６ａがスキャナ駆動回路４６からの信号に基づいて読み取りキャリッジ２１を操作することにより、原稿台ガラス５に載置された原稿Ｍの二次元の画像データがスキャナ部２に読み取られる。
【００５４】
スキャナ入力回路４７にはスキャナ部２の信号処理部４７ａが接続されている。信号処理部４７ａはＡ／Ｄ変換回路（図示略）を備え、読み取りキャリッジ２１の有するリニアイメージセンサ２４に蓄えられている電荷をＡ／Ｄ変換する。Ａ／Ｄ変換されたデータはシェーディング補正、ガンマ補正、画素補間等の各種のディジタル変換処理が施されＡＳＩＣ４１のスキャナ入力回路４７に入力される。
【００５５】
なお、シェーディング補正は、リニアイメージセンサ２４の光電変換素子ごとの感度ばらつきや光源２３ａの主走査方向における照射光量分布などに起因するシェーディングを補正するものであり、白基準板２２を読み取ることで得られた白基準値を用いて実施される。
【００５６】
スキャナ入力回路４７は、ＣＰＵ４５の制御の下、スキャナ部２から入力される各ラスタラインデータ（ＲＧＢの多階調画像データ）を第２のＳＤＲＡＭ４４のラインバッファ４４ａに一旦蓄える。そして、スキャナ入力回路４７は、このラインバッファ４４ａに取り込んだＲＧＢデータに対してライン間補正処理を順次施し、同一ラインに対するＲＧＢデータとして画像処理回路４８に送る。なお、ライン間補正処理とは、スキャナ部２の構造上発生するＲ、Ｇ、Ｂの各リニアセンサ間の読み取り位置のズレを補正する処理である。
【００５７】
また、スキャナ入力回路４７は、ライン間補正処理と並行して、ＲＧＢデータの読み取り解像度［ｄｐｉ］を、プリンタ部３が印刷するための印字解像度［ｄｐｉ］に変換する解像度変換処理も行う。つまり、ＲＧＢデータの読み取り解像度が、印字解像度よりも低い場合には、線形補間等を行って隣接するデータ間に新たなデータを生成し、逆に印字解像度よりも高い場合には、一定の割合でデータを間引く等して、ＲＧＢデータの解像度を印字解像度に揃える。なお、これは拡大若しくは縮小コピーする際にも同様である。
【００５８】
スキャナ駆動回路４６とスキャナ入力回路４７とがＣＰＵ４５によって制御されることにより、スキャナ部２において読み取り処理が実行される。
【００５９】
画像処理回路４８は、解像度変換処理が施された画像データを取り込み、色変換処理、ハーフトーン処理、マイクロウィーブ処理などの画像処理を行う。色変換処理は、ＲＧＢの多階調画像データから、ＣＭＹＫの４色の多階調画像データに変換する処理である。ハーフトーン処理は、多階調データを面積階調データに変換する処理である。マイクロウィーブ処理は、行間の縞（バンディング）を防止すべく、ドットラインの形成方法を調節する処理である。
【００６０】
この画像処理回路４８において、マイクロウィーブ処理が施されたデータはマイクロウィーブバッファ４４ｂに格納される。さらに、画像処理回路４８は、そのバッファ４４ｂに格納したデータを所定のサイズ毎に読み出して、諸情報（例えば、各色毎のノズル数、ヘッド走査回数など）に基づき並び替えた後、イメージバッファ４４ｃに転送する。このデータ転送の結果、イメージバッファ４４ｃには、プリンタ部３に設けられた書込キャリッジ（図示略）の走査毎の各ノズルにインクを吐出させるためのヘッド駆動データ（印刷データ）が格納される。
【００６１】
イメージバッファ４４ｃに記憶された走査毎のヘッド駆動データ（印刷データ）はＣＰＵ４５によって読み出され、ヘッド制御ユニット４９に転送される。ヘッド制御ユニット４９が印刷データに基づいて印刷用紙に印刷することでスキャナ部２が読み取った画像に対するコピー印刷が実現される。
【００６２】
ヘッド制御ユニット４９は、プリンタ部３のキャリッジ駆動部４９ａとローラ駆動部４９ｂとに接続されている。
【００６３】
キャリッジ駆動部４９ａは、書き込みキャリッジ３１をガイド部材３１ａに沿って主走査方向に摺動させるモータや記録ヘッド３４のノズルからインク滴を吐出させるための機構等を有する。
【００６４】
ローラ駆動部４９ｂは、給紙ローラ３２や排紙ローラ３３、紙送りローラ３５などの印刷用紙Ｐを副走査方向に搬送するための機構である。ヘッド制御ユニット４９は、ＣＰＵ４５の制御によりヘッド駆動データに基づいてキャリッジ駆動部４９ａやローラ駆動部４９ｂを駆動し、書き込みキャリッジ３１を所定の位置に移動させインク滴の吐出の有無や、吐出するインク滴の量を制御する。
【００６５】
エラー検出回路５０は、プリンタ部３の紙検出センサ３８に接続されている。ＣＰＵ４５は紙検出センサ３８の検出結果に基づいて記録ヘッド３４に印刷用紙Ｐが適切に供給されているかを判断する。
【００６６】
次に、本実施形態で用いられる複写処理方式の１つである自動リピートモード複写について簡単に説明する。なお、自動リピートモードの詳細については、例えば、特開２００４−１４２４３５号公報に記載されている。
【００６７】
図６は、自動リピートモードの概念を説明するための図である。同図において、原稿５０には、表面に画像「Ａ」が表されている。自動リピートモードにより原稿５０を複写すると、例えば、Ａ４判サイズの印刷用紙に同じ大きさで配置可能な画像「Ａ」の数が計算される。そして、その数分の画像「Ａ」が配置されて印刷された用紙７０が得られることになる。本図の例では、縦５枚、横４枚の合計２０枚の画像「Ａ」が間隔ｔで配置されて印刷されている。
【００６８】
自動リピートモード複写は、例えば、以下のような手順で実行される。すなわち、ユーザが原稿をＳＰＣ複合装置にセットし、印刷用紙のサイズを設定する。そして、操作パネル部４を操作することにより「自動リピートモード」による複写処理の実行をＳＰＣ複合装置１に指示する。
【００６９】
この指示により、ＳＰＣ複合装置１のスキャナ部２が、プレスキャンを開始する。プレスキャンは、印刷を行うための本スキャン動作に先立って行われる動作である。このプレスキャンでは、印刷を行う際のスキャン動作の解像度と比較して、低い解像度で画像の読み取りが行われる。
【００７０】
そして、プレスキャンの結果に基づいて画像領域を判別する。これにより原稿のサイズを得ることができる。
【００７１】
次に、ＳＰＣ複合装置１は、用紙のサイズと原稿のサイズとから用紙１枚当たりに配置できる画像の数を決定する。画像の数は、印刷用紙に配置可能な最大数として決定される。なお、印刷用紙に配置可能な最大数は、用紙の縦方向に配置可能な画像の最大数ｍと、用紙の横方向に配置可能な画像の最大数ｎとの積（ｍ×ｎ）として算出される。この画像数をユーザに示して、ユーザからの確認を受け付けるようにしてもよい。
【００７２】
そして、ＳＰＣ複合装置１は、画像領域を対象に、本スキャンを行なう。この本スキャンで読み取った原稿の画像データは、第１のＳＤＲＡＭ４３に設けられれたレイアウト用バッファに格納される。このため、本スキャンは、原稿の画像データをレイアウト用バッファに格納可能な解像度で行なわれる。
【００７３】
この結果、レイアウト用バッファには、図７（ａ）に示すような画像データが格納される。そして、用紙に配置する画像データ数にしたがって、レイアウト用バッファに格納された画像データから図７（ｂ）〜図（ｆ）に示すように数ライン単位にイメージデータを順次作成する。これらの処理をレイアウト処理と称するものとする。そして、レイアウト処理により作成されたイメージデータをプリンタ部３で順次印刷することで自動リピートモードによる複写処理が行なわれる。
【００７４】
このように、自動リピートモードによる複写処理は、画像データの配置決定処理を含むレイアウト処理を行なわなければならない。
【００７５】
レイアウト処理では、原稿の画像データをすべて読み込んだ後に配置決定等の演算処理を行なって印刷を開始するため、読み取り処理と印刷処理とを並行に行なうことができる通常の複写処理に比べて、読み取り開始から印刷開始までの時間を多く要することになる。このため、画像データ読み取り前あるいは読み取りと同時に給紙を開始した場合には、印刷用紙は印刷開始前までの給紙状態がしばらく続くことになる。
【００７６】
図４に示したように、給紙状態では、給紙トレー８にセットされていた印刷用紙Ｐは、給紙ローラ３２により引き込まれ、上端部がキャリッジ３１の手前側の位置で待機している。このとき、印刷用紙Ｐは上部側が用紙通路にあり、下部側が給紙トレー８にあるため、給紙トレー８の傾きにより湾曲することになる。このため、給紙状態が長く続くと、印刷用紙Ｐに折り癖がついてしまうおそれがある。この折り癖自体は印字品質に直接的な影響を与えるわけではないが、印刷用紙が湾曲している時間はより短い方が好ましい。
【００７７】
そこで、本実施形態においては、複写処理の給紙タイミングを以下に説明するように制御する。
【００７８】
図８は、本実施形態における複写処理の給紙タイミングを決定する処理を説明するためのフロー図である。
【００７９】
複写処理では、ユーザから複写モードの設定を受け付ける（Ｓ１０１）。設定可能な複写モードとしては、例えば、標準複写モード、リピートモード、Ｎアップモード等が挙げられ、それぞれ、より詳細な設定を行なうことができるものとする。例えば、標準複写モードでは、フチのありなし、光ディスク複写、写真複写等を設定することができ、リピートモードでは、自動、固定等を設定することができ、Ｎアップモードではアップ数を設定することができる等である。なお、固定リピートモードとは、読み込んだ画像データを４、９、１６等のあらかじめ定められた個数分１枚の印刷用紙に配置して複写するモードである。また、印刷用紙のセット、原稿のセットはすでにユーザにより行なわれているものとする。
【００８０】
複写モードの設定を受け付けると、設定された複写モードが「自動リピートモード」であるかどうかを判断する（Ｓ１０２）。
【００８１】
その結果、「自動リピートモード」ではない場合（Ｓ１０２：Ｎ）には、読み取り処理と給紙処理とを並行して行なう並行給紙処理を行なう（Ｓ１０３）。
【００８２】
図９（ａ）は、並行給紙処理を説明するためのタイミング図である。並行給紙処理では、ユーザがｔ０でコピーボタンを押下すると、読み取り準備と給紙とを並行して開始する。ここで、そして読み取り準備が完了すると実際の読み取りが行なわれる（ｔ１）。このため、画像を読み込んで印刷データが作成されるとすぐに印刷が開始されることになる（ｔ２）。これにより、印刷読み取り開始から複写終了までの処理時間を短縮することができる。なお、読み取り準備には、光源２３ａから照射され、白基準板２２に反射された反射光を読み取ることで、白基準値を得るキャリブレーション処理等が含まれる。
【００８３】
一方、設定された複写モードが「自動リピートモード」である場合（Ｓ１０２：Ｙ）には、給紙を行なわずに、プレスキャンを行なう（Ｓ１０４）。そして、プレスキャンで読み取った原稿サイズとユーザが設定した用紙サイズとに基づいて、画像データの配置を決定する処理を行なう（Ｓ１０５）。なお、図９（ｂ）（ｃ）は、自動リピートモードにおける給紙処理を説明するためのタイミング図である。
【００８４】
ここで、配置を決定する処理の際に、原稿サイズが大きすぎて、印刷用紙に複数枚の画像を配置することができない場合が起こり得る。このような場合にはレイアウトは行なわず、通常の複写と同じ結果になる。このため、配置を決定する処理の後に、レイアウト処理を行なうかどうかを判断するようにしている（Ｓ１０６）。
【００８５】
その結果、レイアウト処理を行なう場合（Ｓ１０６：Ｙ）には、給紙を行なわずに、本スキャン処理を行ない（ｔ１）、原稿をすべて読み取り、画像データを格納する（Ｓ１０９）。なお、この読み取りは、第１のＳＤＲＡＭ４３に設けられたレイアウトバッファに原稿全体の画像データを格納できる解像度で行なうようにする。なお、先に示した図９（ｂ）は、自動リピートモードでレイアウト処理を行なう場合のタイミング図である。
【００８６】
そして、本スキャンが終了すると、決定された配置にしたがってレイアウト処理を開始する（Ｓ１０８、ｔ２）。これと並行して、給紙処理を行ない（Ｓ１０９）、生成されたイメージデータを順次印刷することで複写処理が行なわれる（Ｓ１１０）。なお、ここでの給紙処理は、印刷可能な量のイメージデータが生成された段階（ｔ３）で、実際の印刷開始位置まで一気に用紙を搬送することができる。
【００８７】
このように自動リピートモードでは、原稿の読み取りが完了した後に、給紙を行なうようにしているため、印刷用紙の給紙状態が長引くことを防ぐことができる。これにより、印刷用紙に折り癖がつくことを避けられる。
【００８８】
一方、自動リピートモードの複写処理が設定された場合であっても、レイアウト処理を行なわない場合（Ｓ１０６：Ｎ）には、画像データを読み取りながらの印刷が可能であるため、本スキャンと給紙とを並行して行なうことで複写処理を開始する（Ｓ１１１、ｔ１）。そして、給紙完了後、イメージデータが作成され次第印刷が実行される。先に示した図９（ｃ）は、自動リピートモードでレイアウト処理を行なわない場合のタイミング図である。
【００８９】
以上、本発明の実施形態について説明した。ただし、本発明は上記の実施形態に限られず、種々の変形が可能である。
【００９０】
例えば、上記の実施形態では、並行給紙処理を行なわずに、画像読み取り後に給紙を行なう基準として、自動リピートモードであるかどうかで判断していた（Ｓ１０２）。しかし、並行給紙処理を行なわずに、画像読み取り後に給紙を行なう給紙制御は、読み取り後にレイアウト処理等の画像処理を行ない、画像の読み取り開始から実際の印刷開始までに通常の複写処理よりも時間を要する複写モード全般に適用することができる。
【００９１】
また、上述のようにリピートモードには、自動リピートモードの他に、あらかじめ設定された枚数を印刷用紙に配置する固定リピートモードがある。固定リピートモードとして、原稿の所定の領域をそのまま複数枚配置する場合には、読み取りと印刷とを並行に行なうことができるため並行給紙処理を行なうようにすることができる。ただし、原稿を拡大あるいは縮小して複数枚配置する場合であって、原稿の画像データをすべて格納して、レイアウト処理を行なう必要がある場合には、自動リピートモードと同様に画像読み取り後に給紙を行なうようにすることができる。
【図面の簡単な説明】
【００９２】
【図１】ＳＰＣ複合装置を示す斜視図。
【図２】スキャナ部のカバーを開いた状態のＳＰＣ複合装置を示す斜視図。
【図３】スキャナ部の概略構成図。
【図４】プリンタ部の概略構成図。
【図５】ＳＰＣ複合装置の電気的構成を示すブロック図。
【図６】自動リピートモード複写処理を説明するための図。
【図７】原稿の読み取り画像データとイメージデータを説明する図。
【図８】本実施形態の給紙制御処理のフロー図。
【図９】給紙制御を説明するタイミング図。
【符号の説明】
【００９３】
１：複合機、２：スキャナ部、３：プリンタ部、４２：プログラムＲＯＭ、４３：第１のＳＤＲＡＭ、４５：ＣＰＵ、４４：第２のＳＤＲＡＭ
【図１】
2007036819.tif 000003
【図２】
2007036819.tif 000004
【図３】
2007036819.tif 000005
【図４】
2007036819.tif 000006
【図５】
2007036819.tif 000007
【図６】
2007036819.tif 000008
【図７】
2007036819.tif 000009
【図８】
2007036819.tif 000010
【図９】
2007036819.tif 000011